(57)【要約】【課題】構造が単純であるにもかかわらず保護されたロール製品を好適に段積みすることができ、さらに製造が容易で安価なロール製品用プロテクターを提供する。【解決手段】平板状の表面部２及び裏面部３が射出成形により接合されてなり、表面部２及び裏面部３は、それぞれの上辺２ｔ、３ｔの形状が下辺２ｂ、３ｂと等しく、それぞれの上辺と下辺の間の長さ２Ｌ、３Ｌが互いに等しく、表面部の上辺２ｔには裏面部の上辺３ｔよりも上に突出している表側突出部２ｐが形成され、裏面部の上辺３ｔには表面部の上辺２ｔよりも上に突出している裏側突出部３ｐが形成されていることを特徴とするロール製品用プロテクター１である。【選択図】図１
2018030650.tif 000002
【特許請求の範囲】
【請求項１】
ロール製品の端面を保護するために該端面に装着される樹脂製のロール製品用プロテクターであって、
平板状の表面部及び裏面部が射出成形により接合されてなり、
表面部及び裏面部は、それぞれの上辺の形状が下辺と等しいとともに、それぞれの上辺と下辺の間の長さが互いに等しく、
表面部の上辺には裏面部の上辺よりも上に突出している表側突出部が形成され、裏面部の上辺には表面部の上辺よりも上に突出している裏側突出部が形成されていることを特徴とするロール製品用プロテクター。
【請求項２】
ロール製品の端面を保護するために該端面に装着される樹脂製のロール製品用プロテクターであって、
平板状の表面部及び裏面部が凹凸係合又は嵌合により一体化されてなり、
表面部及び裏面部は、それぞれの上辺の形状が下辺と等しいとともに、それぞれの上辺と下辺の間の長さが互いに等しく、
表面部の上辺には裏面部の上辺よりも上に突出している表側突出部が形成され、裏面部の上辺には表面部の上辺よりも上に突出している裏側突出部が形成されていることを特徴とするロール製品用プロテクター。
【請求項３】
表面部の下端の高さと裏面部の下端の高さが等しく、表面部の上端の高さと裏面部の上端の高さが等しいことを特徴とする請求項１又は２に記載のロール製品用プロテクター。
【請求項４】
表面部の形状が左右非対称であり、裏面部の形状は表面部を裏返した形状と等しいことを特徴とする請求項１〜３のいずれか１項に記載のロール製品用プロテクター。
【請求項５】
樹脂が発泡樹脂であることを特徴とする請求項１〜４のいずれか１項に記載のロール製品用プロテクター。
【請求項６】
裏面側に、ロール製品の芯材に挿入される芯受けが突設されていることを特徴とする請求項１〜５のいずれか１項に記載のロール製品用プロテクター。
【発明の詳細な説明】
【技術分野】
【０００１】
本発明は、ロール製品用プロテクターに係り、更に詳しくは、構造が単純で、保護されたロール製品を段積みすることができ、さらに製造が容易で安価なロール製品用プロテクターに関する。
【背景技術】
【０００２】
従来より、プラスチックフィルム、プラスチックシート、紙等の帯状製品Ｒ１を保護、輸送、保管する場合には、図８に示すように、これらの帯状製品Ｒ１を芯材Ｒ２に巻回してロール製品Ｒを形成し、輸送、保管中に帯状製品Ｒ１の端面及び周面が汚れたり傷付いたりするのを防止するため、ロール製品Ｒにロール製品用プロテクター（以下、単にプロテクターと称することがある）Ｐを組み付けて輸送、保管していた。
この従来のプロテクターＰは、例えば方形の側板Ｐ１の中心付近に中空円筒状の芯受けＰ２を前記側板Ｐ１と一体的又は別体に設けてなるもので、図８に示した例では、ロール製品Ｒの両端面を一対の側板Ｐ１で挟持するとともに、芯受けＰ２を芯材Ｒ２の中空孔に挿入してロール製品Ｒを支持し、両側板Ｐ１の外側に梱包用バンドＢを十字状に掛けて全体を緊締している。
【０００３】
しかしながら、上記のようなプロテクターにより保護したロール製品は段積みしても滑落し易いため、輸送や保管が困難である。このような欠点を解消するため、特許文献１に記載されているように、基板部の四隅から段積み用脚部を突設したロール製品用プロテクターが提案されている。
【０００４】
このようなプロテクターで保護されたロール製品は、当該ロール製品を保護するプロテクターの段積み用脚部の上に、別のロール製品を保護するプロテクターの段積み用脚部を重ねることで段積みすることができる。従って、輸送や保管のコストを削減できる利点があるが、プロテクター自体の形状が複雑で金型の作成コストや材料コストが嵩み、その分、プロテクターが高価になるという欠点がある。
【先行技術文献】
【特許文献】
【０００５】
【特許文献１】実開平７−３３８９１号公報
【発明の概要】
【発明が解決しようとする課題】
【０００６】
本発明は、上記の如き問題を解消し、構造が単純で、保護されたロール製品を段積みできる安価なロール製品用プロテクターを提供するものである。
【課題を解決するための手段】
【０００７】
上記目的を達成するための本発明の特徴は、ロール製品の端面を保護するために該端面に装着される樹脂製のロール製品用プロテクターであって、平板状の表面部及び裏面部が射出成形により接合されてなり、表面部及び裏面部は、それぞれの上辺の形状が下辺と等しいとともに、それぞれの上辺と下辺の間の長さが互いに等しく、表面部の上辺には裏面部の上辺よりも上に突出している表側突出部が形成され、裏面部の上辺には表面部の上辺よりも上に突出している裏側突出部が形成されているロール製品用プロテクターである。
【０００８】
本発明の別の特徴は、ロール製品の端面を保護するために該端面に装着される樹脂製のロール製品用プロテクターであって、平板状の表面部及び裏面部が凹凸係合又は嵌合により一体化されてなり、表面部及び裏面部は、それぞれの上辺の形状が下辺と等しいとともに、それぞれの上辺と下辺の間の長さが互いに等しく、表面部の上辺には裏面部の上辺よりも上に突出している表側突出部が形成され、裏面部の上辺には表面部の上辺よりも上に突出している裏側突出部が形成されていることを特徴とするロール製品用プロテクター。
【０００９】
本発明の更に別の特徴は、表面部の下端の高さと裏面部の下端の高さが等しく、表面部の上端の高さと裏面部の上端の高さが等しい上記のロール製品用プロテクターである。
【００１０】
本発明の更に別の特徴は、表面部の形状が左右非対称であり、裏面部の形状は表面部を裏返した形状と等しい上記のロール製品用プロテクターである。
【００１１】
本発明の更に別の特徴は、樹脂が発泡樹脂である上記のロール製品用プロテクターである。
【００１２】
本発明の更に別の特徴は、裏面側に、ロール製品の芯材に挿入される芯受けが突設されている上記のロール製品用プロテクターである。
【発明の効果】
【００１３】
本発明のロール製品用プロテクターは、平板状の表面部及び裏面部が射出成形により接合又は凹凸係合もしくは嵌合により一体化されてなり、表面部及び裏面部は、それぞれの上辺の形状が下辺と等しく、それぞれの上辺と下辺の間の長さが互いに等しいので、当該プロテクターをロール製品に装着した状態でロール製品を段積みする際には、上側に積まれたプロテクターの下辺が、下側に置かれたプロテクターの上辺と係合し、左右方向（表面部及び裏面部に対し平行方向）のずれが防止される。
また、表面部の上辺に裏面部の上辺よりも上に突出している表側突出部が形成され、裏面部の上辺に表面部の上辺よりも上に突出している裏側突出部が形成されているので、これらの突出部により表裏方向（表面部及び裏面部に対し垂直方向）のずれが防止される。
このため、どの方向から力が加わった場合でも、段積みされた上側のプロテクターが下側のプロテクターからずれ落ちることがない。
【００１４】
表面部の下端の高さと裏面部の下端の高さを等しくすれば、段積みの際に最下段となるロール製品を平らな地面の上に安置することができるので、安定性及び作業性が良い。また、表面部の上端の高さと裏面部の上端の高さを等しくすれば、当該プロテクターを上下逆にして使用しても、良好な安定性が維持されるので、作業性がさらに向上する。
【００１５】
表面部の形状が左右非対称であるとともに、裏面部の形状が表面部を裏返した形状と同じであれば、表面部の下端の高さと裏面部の下端の高さが等しく、表面部の上端の高さと裏面部の上端の高さが等しいプロテクターを容易に作製することができる。
【図面の簡単な説明】
【００１６】
【図１】図１は本発明のロール製品用プロテクターの一例を示す斜視図である。
【図２】図２は図１に示すロール製品用プロテクターの正面図である。
【図３】図３（ａ）は図１に示すロール製品用プロテクターを段積みした状態を示す説明図であり、（ｂ）は（ａ）のＡ−Ａ断面図であり、（ｃ）は（ａ）のＢ−Ｂ断面図である。
【図４】図４は図１に示すロール製品用プロテクターにおける表面部を示す正面図である。
【図５】図５は本発明のロール製品用プロテクターの別例を示す正面図である。
【図６】図６は図５に示すロール製品用プロテクターを段積みした状態を示しており、（ａ）は段積みしたプロテクターを正面側から見た説明図であり、（ｂ）は裏面側から見た説明図である。
【図７】図７は本発明のプロテクターを装着したロール製品を段積みした状態を示す説明断面図である。
【図８】図８は従来のプロテクターをロール製品に装着した状態を示す説明断面図である。
【発明を実施するための形態】
【００１７】
本発明のロール製品用プロテクター１はロール製品の端面を保護するために該端面に装着されるものであり、図１及び図２に示すように、平板状の表面部２及び裏面部３が互いに重ね合わされてなり、表面部２及び裏面部３は、それぞれの上辺２ｔ、３ｔの形状が下辺２ｂ、３ｂと等しいとともに、それぞれの上辺と下辺の間の長さ２Ｌ、３Ｌが互いに等しく、表面部２の上辺２ｔには裏面部３の上辺３ｔよりも上に突出している表側突出部２ｐが形成され、裏面部３の上辺３ｔには表面部２の上辺２ｔよりも上に突出している裏側突出部３ｐが形成されていることを特徴とする。
【００１８】
本発明におけるロール製品用プロテクター１は、図１に示すように、表面部２及び裏面部３を重ね合わせた形状である。本発明において表面部２及び裏面部３は平板状であるが、上辺２ｔと下辺２ｂ、及び上辺３ｔと下辺３ｂの形状はそれぞれ同じなので、図３に示すように、段積みの際に上辺２ｔと下辺２ｂ、及び上辺３ｔと下辺３ｂがそれぞれ係合し、左右方向のずれ（横ずれ）が防止される。
なお、上辺２ｔと下辺２ｂ、及び上辺３ｔと下辺３ｂの形状は、それぞれ完全に同一である必要はなく、上下に段積みされるプロテクター１がこの上辺２ｔ、３ｔ及び下辺２ｂ、３ｂにおいて係合して横ずれが防止される程度に近似していればよい。
また、図１〜図３に示した例において、上辺２ｔ、３ｔ及び下辺２ｂ、３ｂは台形状の凸部と凹部がそれぞれ２箇所づつ設けられた形状であるが、具体的な形状については段積みの際に上辺２ｔと下辺２ｂ、及び上辺３ｔと下辺３ｂがそれぞれ係合可能であるかぎり特に限定されず、例えば図５に示した例における表面部２のように、台形状の凸部と凹部がそれぞれ一箇所づつ設けられた形状でもよいし、図５に示した例における裏面部３のように、二つのなだらかな凸部（下辺３ｂでは凹部）と、この二つの凸部の間及び両脇に設けられた凹部（下辺３ｂでは凸部）とすることもできる。
【００１９】
本発明では、図２に示すように、表面部２における上辺と下辺の間の長さ２Ｌと裏面部３における上辺と下辺の間の長さ３Ｌは等しくする必要がある。これらの長さ２Ｌ、３Ｌが等しい場合に、上下に段積みされるプロテクター１の表面部２における上辺２ｔと下辺２ｂ、及び裏面部３における上辺３ｔと下辺３ｂが同時に係合する。
なお、表面部２における上辺と下辺の間の長さ２Ｌと裏面部３における上辺と下辺の間の長さ３Ｌが等しければ、表面部２における上辺と下辺の間の総高低差２Ｈ（上辺の上端から下辺の下端までの高低差）と裏面部３における上辺と下辺の間の総高低差３Ｈが異なっていてもよい。図５に示した例では、表面部２における上辺と下辺の間の長さ２Ｌと裏面部３における上辺と下辺の間の長さ３Ｌが等しく、表面部２における上辺と下辺の間の総高低差２Ｈと裏面部３における上辺と下辺の間の総高低差３Ｈが異なる例が示されているが、図６に示すように、このような場合であっても好適に段積みが可能である。但し、図５に示したようなプロテクター１は、上下を逆にしてロール製品に装着するのが困難であるため、上辺と下辺の間の総高低差２Ｈ、３Ｈも等しいほうが好ましい。
【００２０】
図１及び図２に示されるように、本発明のロール製品用プロテクター１には、表面部２の上辺２ｔに、裏面部３の上辺３ｔよりも上に突出している表側突出部２ｐが形成され、さらに、表面部２の上辺２ｔに、裏面部３の上辺３ｔよりも上に突出している裏側突出部３ｐが形成されている。
このため、図３に示すように、上側に段積みされたプロテクター１は、表側突出部２ｐにより表面側にずれるのが防止されるとともに（図３（ｂ）参照）、裏側突出部３ｐにより裏面側にずれるのが防止され、表裏方向のずれが防止される（図３（ｃ）参照）。
表面突出部２ｐ、裏面突出部３ｐは、いずれも少なくとも１個設けられ、２個以上設ける場合は、表面突出部２ｐと裏面突出部３ｐとが互い違いに配するのが好ましい。
【００２１】
本発明においては、図２に示すように、表面部２の下端の高さと裏面部３の下端の高さを等しくするのが好ましい。このようにすれば、本発明のプロテクター１を自立させやすくなるので、安定性が増す。また、表面部２の上端の高さと裏面部３の上端の高さも前記と同様に等しくすれば、上下を逆にしてもプロテクター１を安置することが可能になるので、利便性が向上する。
【００２２】
本発明のロール製品用プロテクター１は、上辺２ｔと下辺２ｂの形状が等しく、上辺と下辺の間の長さ２Ｌ、３Ｌが一定の２種類の板状部材を表面部２、裏面部３として用い、これらを接着、溶着等により貼り合せることにより容易かつ安価に製造することができる。また、左右非対称の形状の板状部材を２枚作成し、そのうち１枚を裏返して貼り合せることにより、更に容易かつ安価に製造することができる。図１に示した例では、図４に示したような、左右非対称で上辺と下辺の形状が同じ形状の板状部材を２枚作成し、そのうちの１枚を表面部２とし、他の１枚を裏返して裏面部３とし、これらを貼り合せることにより作成されている。
【００２３】
なお、本発明のプロテクター１の製造方法は、上記したような２種類の板状部材の貼り合せには限定されず、例えば、表面部２と裏面部３とを凹凸係合、嵌合等により物理的に一体化してもよく、また、はじめから表面部２と裏面部３が接合された状態で、射出成形等により製造することもできる。射出成形等により製造する場合、例えば裏面部３（ロール製品Ｒに装着した際にロール製品の端面に接する内側）にはロール製品の芯材Ｒ２に挿入される芯受け等を突設してもよいし、表面部２（ロール製品Ｒに装着した際に外側になる部分）には、ロール製品Ｒをプロテクター１ごと緊締するベルトを配置するための溝等を設けることもできる。
【００２４】
本発明において、ロール製品用プロテクター１の材質は、ロール製品の端部に装着した際に、ロール製品が地面に接触しないように吊り上げた状態で保持できる程度の強度及び剛性を備えている限り特に限定されず、例えば木材、金属、合成樹脂等を用いることができるが、軽量で加工性がよく、十分な強度を備えている点で、合成樹脂が好ましい。合成樹脂としては特に限定されないが、具体的には、ポリエチレン、ポリプロピレン等のポリオレフィン樹脂、ポリスチレン樹脂、ポリ塩化ビニル樹脂、（メタ）アクリル樹脂、ＡＢＳ樹脂、ＡＡＳ樹脂、ポリアセタール樹脂、フッ素樹脂、ポリカーボネート樹脂、ポリアミド（ナイロン）樹脂、ポリエステル樹脂等が挙げられる。また、ポリ乳酸樹脂、ポリブチレンサクシネート、ポリアミド１１、ポリヒドロキシ酪酸等の生分解性プラスチックやバイオマスプラスチック等も使用可能である。また、これらの発泡性樹脂も使用でき、軽量性に富んだプロテクターが得られる。
特に、同じ形状の２枚の板状部材のうち一枚を裏返してから貼り合せる場合、いわゆるプラスチックダンボールから板状部材を切り出すようにすれば、製造が極めて容易で、軽量で強度に優れたプロテクターが提供される。
【００２５】
本発明のロール製品用プロテクター１は、従来のプロテクターと同様、ロール製品Ｒの端部に装着して使用され、図７に示すように、段積みして輸送や保管をすることができる。段積みされたプロテクター１は、下側のプロテクター１の上辺と上側のプロテクター１の下辺が係合しているので、少々の力が加わっても外れることがない。
なお、上記において、「等しい」とは本発明の目的を達成し得る許容範囲が含まれ、製造上の誤差範囲は勿論のこと、プラスマイナス５％程度までの許容範囲が含まれる。
【産業上の利用可能性】
【００２６】
叙上のとおり、本発明のロール製品用プロテクターは、構造が単純であるにもかかわらず保護されたロール製品を好適に段積みすることができ、さらに製造が容易で安価であり、極めて有用性が高いものである。
【符号の説明】
【００２７】
１  ロール製品用プロテクター
２  表面部
２ｔ  上辺
２ｂ  下辺
２ｐ  表側突出部
２Ｌ  上辺と下辺の間の長さ
２Ｈ  総高低差
３  裏面部
３ｔ  上辺
３ｂ  下辺
３ｐ  裏側突出部
３Ｌ  上辺と下辺の間の長さ
３Ｈ  総高低差
Ｒ  ロール製品
Ｒ１  帯状製品
Ｒ２  芯材
Ｐ  従来のロール製品用プロテクター
Ｐ１  側板
Ｐ２  芯受け
Ｂ  梱包用バンド
【図１】
2018030650.tif 000003
【図２】
2018030650.tif 000004
【図３】
2018030650.tif 000005
【図４】
2018030650.tif 000006
【図５】
2018030650.tif 000007
【図６】
2018030650.tif 000008
【図７】
2018030650.tif 000009
【図８】
2018030650.tif 000010